(57)【要約】【課題】育苗圃の面積を削減するだけでなく、その育苗や定植にかかる労力を軽減することも可能な果樹栽培方法を提供する。【解決手段】固化剤を混合した培養土３を入れたセルトレイ１のそれぞれのポット２に果樹の挿し穂４を一芽挿しする。セルトレイ１の下側部分は、ヒーター８の上側に敷かれた保湿材９に埋設する。ヒーター８で培養土３の温度を制御しながら所定期間育苗を行う。培養土３は、定植を行うよりも前に前記固化剤で固化させておく。【選択図】図１
2009131206.tif 000002
【特許請求の範囲】
【請求項１】
培養土を入れたセルトレイのそれぞれのポットに果樹の挿し穂の一芽挿しを行い、前記セルトレイの下側部分をヒーターの上側に敷かれた保湿材に埋設し、前記ヒーターで前記培養土の温度を制御しながら所定期間育苗を行うことを特徴とする果樹の育苗方法。
【請求項２】
セルトレイ１個当たりのポットの数が１０〜３００個であり、それぞれのポットの口径が１．５〜７ｃｍであり、それぞれのポットの深さが２〜１０ｃｍである請求項１記載の果樹の育苗方法。
【請求項３】
培養土に固化剤を混合し、定植を行うよりも前に前記固化剤で前記培養土を固化させる請求項１又は２記載の果樹の育苗方法。
【請求項４】
前記固化剤が熱融着性繊維である請求項３記載の果樹の育苗方法。
【請求項５】
前記保湿材が、パーライト、バーミキュライト、ピートモス、鹿沼土、赤玉土、砂の中から選ばれる少なくとも１種以上である請求項１〜４の果樹の育苗方法。
【請求項６】
前記ヒーターとしてセルトレイの面積よりも広いフィルムヒーターを用いる請求項１〜５いずれか記載の果樹の育苗方法。
【請求項７】
培養土の温度を１５〜３０℃に保つ請求項１〜６いずれか記載の果樹の育苗方法。
【請求項８】
挿し穂の切り口に酢酸ビニル系の接着剤を塗布してから挿し木を行う請求項１〜７いずれか記載の果樹の育苗方法。
【発明の詳細な説明】
【技術分野】
【０００１】
本発明は、果樹の苗木を短期間で多く育てることの可能な果樹の育苗方法に関する。
【背景技術】
【０００２】
葡萄栽培は、地植えした苗木を長年に亘って大きく生長させていく地植え栽培により行われるのが一般的である。地植え栽培では、葡萄樹の根を自由に伸長させ、樹冠を大きく広げさせるために、１樹当たりの収穫量を多くすることができる。しかし、葡萄樹が生長して大木化すると、葉や新梢の生長に多くの栄養が消費されるようになって果実の生産にまで栄養が回りにくくなる。このため、地植え栽培では、畑の単位面積当たりの収穫量を多くすることは困難であった。
【０００３】
また、葡萄の地植え栽培では、苗木の定植から果実の収穫までに、通常、５〜６年を要していた。このため、葡萄栽培に新規参入した者が早期に収益を上げることは非常に困難であった。さらに、葡萄の地植え栽培では、葡萄樹の大きく広がった根が、降雨によって土壌中で無機化した窒素を大量に吸収するおそれがあるなど、葡萄樹に与える水や窒素の量の管理が困難であり、品質の高い果実を生産することは必ずしも容易ではなかった。葡萄の地植え栽培で高品質な果実を生産するためには、灌水や施肥などに熟練した技術を要していた。
【０００４】
このような実状に鑑みてか、近年、葡萄樹の根域を制限しながら葡萄を栽培する技術（根域制限栽培）が研究されるようになり、それに関連する技術が提案されるようになってきている（例えば、特許文献１）。葡萄の根域制限栽培は、葡萄樹の根の広がりを拘束することができるので、葡萄樹を小木化して果実の生産に栄養を回させることが可能になり、果実を短期間で収穫することができるようになる。また、灌水や施肥の管理が容易になり、果実の品質を向上することもできるようになる。さらに、葡萄樹を小木化する分、密に定植することができるので、畑の単位面積当たりの収穫量を多くすることもできるようになる。
【０００５】
ところが、従来の葡萄の根域制限栽培は、苗木を密に定植するといっても、畑１０ａ当たりせいぜい５００本程度であるために、葡萄の収穫量は、定植２年目で畑１０ａ当たり２ｔ程度が限界であった。また、根域制限栽培でも、高品質の果実を収穫することは必ずしも容易ではなかった。
【０００６】
このような実状に鑑みて、本願発明者らは、複数本の葡萄の苗木を１０〜９０ｃｍの非常に狭い間隔で定植することにより、品質に優れた果実を短期間でより多く収穫することのできる葡萄の栽培方法（以下においては、超密植栽培方法と呼ぶ）の開発に取り組み、成功を収めている。この葡萄の超密植栽培方法では、１０ａ当たり１０００本以上の葡萄樹を育てることも可能である。しかし、この葡萄栽培方法は、多くの苗木を必要とするために、広い育苗圃を要し、またその育苗や定植に多大な労力を要するという欠点があった。
【０００７】
すなわち、従来の育苗は、直径９ｃｍ程度のポットに苗木を挿し木することによって行われるが、この方法で１０００本の苗木を育てようとすると、約８．３ｍ２もの広さの育苗圃が必要であった。また、ポットに入れる培養土は、ピートモス、パーライト、バーミキュライトなどを混和したものが用いられるために、苗木の定植時に根鉢が崩壊しやすく、定植作業が困難になっていた。
【０００８】
また、ポットでの育苗は、一芽挿しよりも二芽挿しの方が活着率が高いことが報告されており、従来の育苗も二芽挿しにより行われている。しかし、二芽挿しは、採れる挿し穂の本数が少なく、超密植栽培など、多くの苗木を要する場合には、必ずしも好適な育苗方法とは言えなかった。
【０００９】
ところで、これまでには、複数のポットが一体的に形成されたセルトレイが提案されている（例えば、特許文献２と特許文献３）。この種のセルトレイは、育苗圃の面積の削減だけでなく、その育苗や定植にかかる労力の軽減を実現するための有効な手段ではあったが、これらは主として花卉や野菜の栽培に用いるものであり、葡萄などの果樹の苗木を育てるものとしては一般的ではなく、その好適な育苗方法についても知られていなかった。
【００１０】
【特許文献１】特開２００５−２０４６６２号公報（特許請求の範囲、発明の効果、［００２１］、［００３６］、図１）
【特許文献２】特開２０００−３４２０７８号公報（特許請求の範囲、発明の効果、図６）
【特許文献３】特開２００２−０６５０７３号公報（特許請求の範囲、［００３９］、図４）
【発明の開示】
【発明が解決しようとする課題】
【００１１】
本発明は、上記課題を解決するためになされたものであり、育苗圃の面積を削減するだけでなく、その育苗や定植にかかる労力を軽減することも可能な果樹栽培方法を提供するものである。
【課題を解決するための手段】
【００１２】
上記課題は、培養土を入れたセルトレイのそれぞれのポットに果樹の挿し穂の一芽挿しを行い、前記セルトレイの下側部分をヒーターの上側に敷かれた保湿材に埋設し、前記ヒーターで前記培養土の温度を制御しながら所定期間育苗を行うことを特徴とする果樹の育苗方法を提供することによって解決される。
【００１３】
ここで、一芽挿しとは、節数が１つの挿し穂を用いて挿し木することにより苗木を得る方法である。通常、果樹の枝を、一端側に一芽だけ付いた状態となるように短く切断していき、得られたそれぞれの挿し穂の芽の付いていない側が土壌中となるように、挿し穂を挿し木する。これにより、１本の枝から採れる挿し穂の数を多くし、超密植栽培に用いるのに適した苗木を得ることが可能になる。
【００１４】
通常、一芽挿しは、両端側に一芽ずつ付いた挿し穂を用いる二芽挿しと比較して、活着率（枯れずに根付いた苗木の本数を、育てた苗木の本数で割って１００を掛けた値）が低くなると言われているが、本発明の果樹の育苗方法では、ポットに二芽挿しを行った場合よりも活着率を高くすることもできる。
【００１５】
セルトレイは、複数のポットが一体的に形成された形態のものであれば特に限定されない。しかし、セルトレイ１個当たりのポットの数が少なすぎると、育苗圃の面積の削減や、育苗や定植に要する労力の軽減がされにくくなるおそれがあるし、セルトレイ１個当りのポットの数が多すぎると、取り扱いしにくくなるおそれがある。このため、セルトレイ１個当たりのポットの数は、通常、１０〜３００個とされる。
【００１６】
セルトレイにおけるそれぞれのポットの寸法も特に限定されないが、小さすぎると、果樹の育苗に適さなくなるおそれがあるし、大きすぎると、育苗圃の面積の削減や、育苗や定植に要する労力の軽減がされにくくなるおそれがあるし、必要な培養土の量も多くなる。このため、セルトレイにおけるそれぞれのポットの口径は、通常、１．５〜７ｃｍとされ、それぞれのポットの深さは、通常、２〜１０ｃｍとされる。
【００１７】
培養土に固化剤を混合し、定植を行うよりも前に前記固化剤で前記培養土を固化させると好ましい。これにより、根鉢を崩壊しにくくすることが可能になる。培養土に混合する固化剤の種類は、特に限定されず、酢酸ビニル−アクリル酸メチル共重合体ケン化物、ポリアクリル酸ナトリウム架橋物、ビニルアルコール−アクリル酸共重合体などのようなイオン性吸水性樹脂や、寒天ゲル、ベントナイト、澱粉などの結合剤などが例示される。しかし、少量の添加で固化後の根鉢の強度をより高めるという観点からは、熱融着性繊維を用いると好ましい。
【００１８】
保湿材の種類も特に限定されず、各種の無機系土壌や有機系土壌を用いることができる。保湿材としては、パーライト、バーミキュライト、ピートモス、鹿沼土、赤玉土、砂などが例示される。
【００１９】
育苗時における培養土の温度をどの程度に保つかは、果樹の種類などによっても異なり、特に限定されない。しかし、培養土の温度が低すぎると、発根促進効果が劣るおそれがあり、培養土の温度が高すぎると、高温障害による発根阻害や苗の老化が発生するおそれがある。このため、培養土の温度は、通常、１５〜３０℃に保つようにする。
【００２０】
本発明の果樹の育苗方法において、挿し穂の切り口には、特に処理を施さなくてもよいが、酢酸ビニル系の接着剤を塗布してから挿し木を行うと好ましい。これにより、苗木の歩留まり（挿し木を行った挿し穂の本数に対する苗木として使用できる本数の比）を高めることが可能になる。
【発明の効果】
【００２１】
以上のように、本発明によって、育苗圃の面積を削減するだけでなく、その育苗や定植にかかる労力を軽減することも可能な果樹栽培方法を提供することが可能になる。
【発明を実施するための最良の形態】
【００２２】
本発明の果樹の育苗方法の好適な実施態様について、図面を用いてより具体的に説明する。図１は、本発明の果樹の育苗方法に用いる設備の一例を示した概略図である。図２は、図１におけるセルトレイの一例を示した斜視図である。図３は、セルトレイに入れた培養土の温度の経時的変化と、独立したポットに入れた培養土の温度の経時的変化を示したグラフである。図４は、セルトレイの下側部分を保湿材に埋設した場合における培養土の重量の経時的変化と、セルトレイを保湿材の上に据え置いただけでその下側部分を埋設しなかった場合における培養土の重量の経時的変化を示したグラフである。
【００２３】
１．概要
本発明の果樹の育苗方法は、図１に示すように、固化剤を混合した培養土３を入れたセルトレイ１のそれぞれのポット２に果樹の挿し穂４の一芽挿しを行い、セルトレイ１の下側部分をヒーター８の上側に敷かれた保湿材９に埋設し、ヒーター８で培養土３の温度を制御しながら所定期間育苗を行い、定植を行うよりも前に前記固化剤で培養土３を固化させておくことによって行われる。
【００２４】
２．セルトレイ
セルトレイ１は、図２に示すように、複数のポット２が一体的に形成された形態のものであれば特に限定されない。しかし、ポット２の数が少なすぎると、育苗圃の面積の削減や、育苗や定植に要する労力の軽減がされにくくなるおそれがある。このため、１個のセルトレイ１に設けるポット２の数は、通常、１０個以上とされる。ポット２は、３０個以上であると好ましく、５０個以上であるとより好ましい。
【００２５】
一方、セルトレイ１に設けるポット２の数を多くしすぎると、セルトレイ１が取り扱いしにくくなるおそれがある。このため、１個のセルトレイ１に設けるポット２の数は、通常、３００個以下とされる。ポット２は、２００個以下であると好ましく、１５０個以下であるとより好ましい。
【００２６】
ポット２の口径（ポット２の口が非円系である場合には等価円直径）も特に限定されないが、小さくしすぎると、ポット２が果樹の育苗に適さなくなるおそれがある。このため、ポット２の口径は、通常、１．５ｃｍ以上とされる。ポット２の口径は、２ｃｍ以上であると好ましく、２．５ｃｍ以上であるとより好ましい。
【００２７】
一方、ポット２の口径を大きくしすぎると、育苗圃の面積の削減ができなくなるばかりか、必要な培養土３の量が多くなって育苗や定植に要する労力が増大するおそれがある。このため、ポット２の口径は、通常、７ｃｍ以下とされる。ポット２の口径は、６ｃｍ以下であると好ましく、５ｃｍ以下であるとより好ましい。
【００２８】
ポット２の深さも特に限定されないが、浅くしすぎると、ポット２が果樹の育苗に適さなくなるおそれがある。このため、ポット２の深さは、通常、２ｃｍ以上とされる。ポット２の深さは、３ｃｍ以上であると好ましく、４ｃｍ以上であるとより好ましい。
【００２９】
一方、ポット２を深くしすぎると、必要な培養土３の量が多くなって育苗や定植に要する労力が増大するおそれがあるばかりか、ヒーター８によって培養土３の温度調節を行いにくくなるおそれもある。このため、ポット２の深さは、通常、１０ｃｍ以下とされる。ポット２の深さは、８ｃｍ以下であると好ましく、７ｃｍ以下であるとより好ましい。
【００３０】
ポット２の容量も特に限定されないが、小さくしすぎると、挿し穂４の根が生長しにくくなり、ポット２が育苗に適さなくなるおそれがある。このため、ポット２の容量は、通常、１０ｃｍ３以上とされる。ポット２の容量は、１５ｃｍ３以上であると好ましく、１７ｃｍ３以上であるとより好ましい。
【００３１】
一方、ポット２の容量を大きくしすぎると、必要な培養土３の量が多くなって育苗や
定植に要する労力を軽減できなくなるおそれがある。このため、ポット２の容量は、通常、１００ｃｍ３以下とされる。ポット２の容量は、８０ｃｍ３以下であると好ましく、６０ｃｍ３以下であるとより好ましい。
【００３２】
３．培養土
セルトレイ１におけるポット２に入れる培養土３の種類は、育苗する果樹の種類によっても異なり特に限定されない。培養土３としては、重粘土、植土、植壌土、壌土などのいわゆる土（天然土）や、パーライト、バーミキュライト、ゼオライトなどの無機質資材や、ピートモス、パーク堆肥、亜鉛、籾殻、薫炭、炭粉などの有機質資材などから選ばれる少なくとも１種以上を用いることができる。さらに潤滑剤や肥料などを配合してもよい。
【００３３】
培養土３としては、通常、天然土１００重量部に対して、ピートモスなどの有機質資材を６０％重量部、パーライトなどの無機質資材を４０％重量部の割合で配合したものを好適に用いることができる。
【００３４】
４．固化剤
培養土３に混合する固化剤の種類は、特に限定されないが、熱融着性繊維を用いると好ましい。熱融着性繊維は、熱融着性ポリエステル繊維など、それを配合した培養土３に加熱処理を施した際に溶融することにより、熱融着生繊維と熱融着性繊維、又は培養土３に含有される成分と熱融着性繊維の接着がなされるものであれば特に限定されない。生分解性の繊維を用いると、定植後の苗木の根の生育が阻害されにくくなるだけでなく、環境にも悪影響を及ぼしにくくなるために好ましい。熱融着性繊維としては、ポリ乳酸を主成分とする重合体、脂肪族ポリエステル（ポリブチレンサクシネート、ポリエチレンサクシネートなど）、脂肪族ポリエステルアミドや、その共重合体などが例示される。
【００３５】
培養土３に加熱処理を行う具体的方法は特に限定されないが、培養土３に潅水した後に加熱処理を行う方法が好適に挙げられる。潅水せずに加熱処理を行ってもよいが、潅水後に加熱処理を行うことによって熱融着性繊維を短時間で均一に溶融接着することができ、しかも全体的に均整のとれた強力を有する根鉢を得ることができる。潅水の程度は、培養土３の組成や熱融着性繊維の種類などに応じて適宜設定される。
【００３６】
加熱処理を行う温度は、熱融着性繊維における熱溶融成分の融点に応じて適宜選択することができる。熱融着性繊維における熱融着成分の融点以上の温度で行うのが好ましく、融点よりも１０℃以上の温度で行うと好ましい。加熱処理に使用する装置は、培養土３の全体を所定の温度で均一に加熱できるもの、例えば、オートクレーブなどを好適に使用できる。
【００３７】
加熱処理は、挿し穂４が加熱処理を行う温度に耐えうるものであれば、挿し穂４を培養土３に挿し木した後に行ってもよいが、そうでなければ、熱によって挿し穂４が死滅したり発育不良となったりするおそれがあるために、挿し穂４を挿し木するよりも前に行う。
【００３８】
５．保湿材
保湿材９は、培養土３の保湿性や保肥性を高めて挿し穂４の発根率を高める他、その下層にあるヒーター８からの熱をポット２の内部の培養土３に伝達するためのものとなっている。保湿材の種類は、特に限定されず、パーライト、バーミキュライト、ピートモス、鹿沼土、赤玉土、砂などを例示することができる。
【００３９】
保湿材９を敷き詰める厚さは、特に限定されないが、薄すぎると、保湿効果が劣り、培養土３の乾燥が頻繁に発生するおそれがある。このため、保湿材９を敷き詰める厚さは、通常、２ｃｍ以上とする。保湿材９を敷き詰める厚さは、３ｃｍ以上であると好ましく、４ｃｍ以上であるとより好ましい。
【００４０】
一方、保湿材９を敷き詰める厚さを厚くしすぎると、ヒーターからの距離が大きくなることにより培養土３への加温効率が低下するおそれがある。このため、保湿材９を敷き詰める厚さは、通常、１５ｃｍ以下とされる。保湿材９を敷き詰める厚さは、１０ｃｍ以下であると好ましく、７ｃｍ以下であるとより好ましい。
【００４１】
６．ヒーター
ヒーター８は、培養土３の温度を所望の範囲で制御できるものであれば特に限定されないが、通常、フィルム状のもの（いわゆるフィルムヒーター）が用いられる。フィルムヒーターとしては、一対の熱伝導性シートの間に低抵抗の電線や導電パターンを形成したものが一般的である。ヒーター８としてフィルム状のものを用いることによって、セルトレイ１の下側部分全体を均一に加熱することも容易となる。ヒーター８は、耐熱性の防水フィルムなどに包んだ状態で使用すると好ましい。
【００４２】
育苗時における培養土３の温度をどの程度に保つかは、果樹の種類などによっても異なり、特に限定されない。しかし、培養土３の温度が低すぎると、発根促進効果が劣るおそれがあり、培養土３の温度が高すぎると、高温障害による発根阻害や苗の老化が発生するおそれがある。このため、培養土３の温度は、通常、１５〜３０℃に保つようにする。
【００４３】
７．挿し穂
挿し穂４は、所望の果樹の枝を、一端側に一芽だけ付いた状態となるように短く切断していくことにより得た一芽挿し用のものであれば特に限定されない。育苗を行う果樹の種類が葡萄（品種：ピオーネ）である場合には、挿し穂４は、通常、７〜１５ｃｍの長さとなる。挿し穂４は、芽の付いていない側が土壌中となるように、ポット２に入れた培養土３へと挿し木するとよい。
【００４４】
このとき、挿し穂４の切り口には、特に処理を施さなくてもよいが、酢酸ビニル系の接着剤を塗布してから挿し木を行うと好ましい。これにより、挿し穂４の切り口から水分が蒸散するのを防いで、苗木の発芽率や歩留まりを高めることが可能になる。接着剤を塗布する範囲は、特に限定されないが、通常、挿し穂４における芽の付いていない側（皮を剥いだ側）の端部における切り口から約１〜２ｃｍまでの部分に塗布する。塗布した接着剤が乾燥すると、接着剤を塗布した切り口から約３〜５ｃｍまでの部分あるいは穂木全体を水中に浸漬して水揚げを行う。切り口を水中に浸漬する時間は、特に限定されないが、通常、１２〜２４時間である。
【００４５】
８．育苗
挿し穂４の挿し木を行ってから苗木を採取するまでの育苗期間（通常、２月下旬から４月下旬くらいまで）は、育苗を行う果樹の種類に応じて、施肥、灌水、温度管理などを行う。
【００４６】
９．用途
本発明の果樹の育苗方法は、栽培する果樹の種類を特に限定されるものではなく、各種の果樹栽培で用いることができる。なかでも、葡萄、キウイフルーツ、アケビなど、ある程度発根のある蔓性植物の苗木を育てるのに適している。この他、イチジクやブルーベリーなどの果樹の苗木を育てるのにも適している。
【実施例】
【００４７】
本発明の果樹の育苗方法の効果を実証するために、１月中旬に採取した葡萄（品種：ピオーネ）の剪定枝を一芽挿し用の挿し穂に調整後、５℃で保存した。この挿し穂を２月中旬に挿し木して育苗を開始し、下記実施例１〜６の試験を行った。
【００４８】
下記実施例１〜６の試験は、特に断りがない限り、図１に示すように、固化剤を混合した培養土３を入れたセルトレイ１のそれぞれのポット２に葡萄（ピオーネ）の挿し穂４の一芽挿しを行い、セルトレイ１の下側部分をヒーター８の上側に敷かれた保湿材９に埋設し、ヒーター８で培養土３の温度が２２〜２５℃に保たれるように制御しながら行った。セルトレイ１は、骨組１０を用いて被覆シート１１で覆った。この設備は、図示省略の無加温ハウスの内部に収容されている。比較のため、セルトレイではない独立したポットについての試験もこれと同様の条件で行った。
【００４９】
ただし、培養土３は、BＥＲＧＥＲ  ＰＥＡＴ  ＭＯＳＳ社製のピートモス「型式：BM−１」を用いた。この培養土３は、ピートモスを６０重量％、バーミキュライトを２０重量％、パーライトを２０重量％配合したものとなっており、吸水性と排水性に優れたものとなっている。
【００５０】
培養土３に混合する固化剤は、クラレ社製の熱融着性ポリエステル繊維のうち、繊維長が１ｍｍもしくは５ｍｍのものを使用した。この固化剤は、鞘部分の融点が１００〜１３０℃、芯部分の融点が２５０〜２６０℃、繊維長が１ｍｍ〜５ｍｍ、アスペクト比が２０〜１０００のものとなっている。この固化剤を、９８容量部の培養土３に対して２容量部の割合で配合し、ミキサー容器で攪拌した。
【００５１】
セルトレイ１は、下記の１２８穴型セルトレイと７２穴型セルトレイの２種を用いた。
「１２８穴型セルトレイ」
１２８個のポットが８行１６列に配されて連結された形態のセルトレイであり、本発明におけるセルトレイの範疇に属するものである。以下の実施例においては、各ポットの口部が一辺の長さが２．８ｃｍの正方形であり、各ポットの深さが５．０ｃｍであり、各ポットの容量が２０．４ｃｍ３のものを使用した。各ポットには、培養土３を２３ｇ（乾燥重量２．７ｇ）入れた。１０００本の挿し木を行うのに必要な育苗圃の面積は１．２ｍ２である。
「７２穴型セルトレイ」
７２個のポットが６行１２列に配されて連結された形態のセルトレイであり、本発明におけるセルトレイの範疇に属するものである。以下の実施例においては、各ポットの口部が、一辺の長さが３．７ｃｍの正方形であり、各ポットの深さが５．０ｃｍであり、各ポットの容量が４６ｃｍ３のものを使用した。各ポットには、培養土３を４０ｇ（乾燥重量４．７ｇ）入れた。１０００本の挿し木を行うのに必要な育苗圃の面積は２．２ｍ２である。
【００５２】
一方、独立したポットは、下記の６ｃｍ型ポットと９ｃｍ型ポットの２種を用いた。
「６ｃｍ型ポット」
口部が直径６ｃｍの円形の独立したポットであり、本発明におけるセルトレイの範疇に属さないものである。６ｃｍ型ポットの深さは５．５ｃｍとなっており、その容量は１３０ｃｍ３となっている。このポットには、培養土３を約７０ｇ入れた。１０００本の挿し木を行うのに必要な育苗圃の面積は３．７ｍ２である。
「９ｃｍ型ポット」
口部が直径９ｃｍの円形の独立したポットであり、本発明におけるセルトレイの範疇に属さないものである。９ｃｍ型ポットの深さは７．６ｃｍとなっており、その容量は３６０ｃｍ３となっている。このポットには、培養土３を約１７２ｇ入れた。１０００本の挿し木を行うのに必要な育苗圃の面積は８．３ｍ２である。
【００５３】
ヒーター８は、リバーストン社製のフィルムヒーター、型式「ＴＨ−００１」（幅１．８ｍ、縦１．０ｍ）を用いた。このヒーター８は、１ｍ２当りの消費電力が８０Ｗとなっている。ヒーター８は、地面５の上に敷いた厚さ２ｃｍの断熱材７の上に敷いた。ヒーター８の設定温度は２５℃とした。
【００５４】
保湿材９は、三井金属鉱業社製のパーライト、型式「ＫＰ−Ｌ」を用いた。この保湿材９は、粒径１．５〜５．０ｍｍ、平均粒径３．５ｍｍ、有効水分１３．７ｖｏｌ％、単位容積質量１９５ｋｇ／ｍ２のものとなっている。保湿材９は、ヒーター８の上に厚さ５ｃｍで敷き詰めた。
【００５５】
［実施例１］
セルトレイ１（７２穴型セルトレイ）に入れた培養土３の温度の経時的変化と、独立したポット（９ｃｍ型ポット）に入れた培養土３の温度の経時的変化について調べたところ、図３に示す結果が得られた。
【００５６】
図３を見ると、概して、セルトレイ１に入れた培養土３の温度（図３のグラフにおける実線）の方が、独立したポットに入れた培養土３の温度（図３のグラフにおける破線）よりも高く推移していることが分かる。試験を行った期間の培養土３の平均温度は、セルトレイ１の下側部分を保湿材９に埋設した場合で２２．３℃、セルトレイ１を保湿材９に埋設しなかった（保湿材９の上に据え置いただけの）場合で２０．８℃であった。
【００５７】
［実施例２］
セルトレイ１（１２８穴型セルトレイ）の下側部分を保湿材９（パーライト）に埋設した場合における培養土３の重量の経時的変化と、セルトレイ１を保湿材９の上に据え置いただけでその下側部分を埋設しなかった場合における培養土３の重量の経時的変化を調べたところ、図４に示す結果が得られた。図中における水平線分は、標準誤差を示している。
【００５８】
図４をみると、培養土３の重量は、概して、セルトレイ１の下側部分を保湿材９に埋設した場合の方が埋設しなかった場合よりも軽く、乾燥しやすいことが確認された。これは、停滞水が少なく、地下部の腐敗発生を抑制するのに好都合である。
【００５９】
［実施例３］
セルトレイ１（１２８穴型セルトレイと７２穴型セルトレイ）と独立したポット（６ｃｍ型ポットと９ｃｍ型ポット）を用いてそれぞれ一芽挿しで育苗を行った場合について、得られた苗木の形質（地上部の展葉枚数、新梢長、新梢基部径、生重、葉面積、及び地下部の根長、発根本数）と、発芽率、発芽日数、歩留まり率を調べたところ、下記表１〜３に示す結果が得られた。
【表１】
2009131206.tif 000003
【表２】
2009131206.tif 000004
【表３】
2009131206.tif 000005
【００６０】
ここで、歩留まり率は、挿し木をして育苗を開始した挿し穂３の本数に対する定植可能な苗木（苗木として使用できる状態まで生長した挿し穂）の本数の比である。苗木が定植可能であるか否かの判断は目視によって行った。具体的には、観察時において、展葉枚数が２枚以上で、かつ生長点の有るものを定植可能な苗木と判断した。上記表１〜３における括弧内のアルファベットが同一の項目間で異なると、それらの間には、ボンフェローニ法における有意差があることを示している。
【００６１】
上記表１，２をみると、１２８穴型セルトレイで育苗を行った場合は、発根本数は少ないものの、地上部における新梢の生長は最も優れていることが分かる。地上部における新梢の生長は、１２８穴型セルトレイに次いで、７２穴型セルトレイが優れていた。以上の結果から、本発明の果樹の育苗方法は、独立したポットを用いて育苗を行った場合よりも、地上部の新梢が生長しやすいことが分かった。
【００６２】
また、上記表３をみると、セルトレイ１（１２８穴型セルトレイ又は７２穴型セルトレイ）を用いた方が、独立したポット（６ｃｍ型ポット又は９ｃｍ型ポット）を用いた場合よりも、発芽率が高く、発芽日数もやや短いことが分かった。また、セルトレイ１を用いた方が、独立したポットを用いた場合よりも歩留まり率が高いことも分かった。
【００６３】
特に、１２８型セルトレイを用いた場合の歩留まり率は９１．７％と非常に高い。これは、９ｃｍ型ポットを用いて二芽挿しで育苗を行った場合の歩留まり率（予め調べたところ９２．９％であった）に匹敵する値である。以上の結果から、本発明の果樹の育苗方法は、独立したポットを用いて行う育苗（以下、ポット育苗と呼ぶ）を二芽挿しで行った場合と同等の高い歩留まり率を実現できるものであることが分かった。
【００６４】
［実施例４］
挿し穂４の切り口に酢酸ビニル系の接着剤を塗布した場合（切り口保護処理有）と、塗布しなかった場合（切り口保護処理無）とについて、得られた苗木の形質（地上部の新梢長、新梢基部径、展葉枚数、生重、及び地下部の根重、カルス重、カルス保護率）と、発芽率、発芽日数、歩留まり率を調べたところ、下記表４と下記表５に示す結果が得られた。
【表４】
2009131206.tif 000006
【表５】
2009131206.tif 000007
【表６】
2009131206.tif 000008
【００６５】
ただし、酢酸ビニル系の接着剤は、コニシ社製の木工用ボンド、型式「ＣＨ１８」を用いた。この接着剤を、挿し穂４の切り口から１ｃｍまでの部分に塗布し、該接着剤が乾燥した後、前記切り口から３ｃｍまでの部分を水中に浸漬して水揚げを行った。挿し穂４の挿し木は、７２穴型セルトレイに行った。
【００６６】
上記表４と上記表５を見ると、挿し穂４に切り口保護処理を行った場合と、切り口保護処理を行わなかった場合とで、得られる苗木の新梢長、基部径、葉数、生重、根重及び発芽日数に有意差は認められなかったものの、カルス重とカルス保護率については有意差が認められた。具体的には、切り口保護処理を行った場合の方が大きなカルスが発生し、カルスによる保護率も高くなった。また、切り口保護処理を行った場合の方が、発芽率と歩留まり率も高くなった。以上の結果により、挿し穂４の切り口に酢酸ビニル系接着剤を塗布して保護処理を行うことにより、苗木の発芽率や歩留まり率を向上できることが分かった。
【００６７】
［実施例５］
７２穴型セルトレイを用いて１００本の苗木を定植するのに要する時間T１と、９ｃｍ型ポットを用いて１００本の苗木を定植するのに要する時間Ｔ２とをそれぞれ測定したところ、時間Ｔ２は１８０１秒であったのに対し、時間Ｔ１はその半分以下の８４９秒であった。ただし、７２穴型セルトレイは、定植前に１００℃で５分間加熱を行って培養土３を固化させた。以上の結果から、本発明の果樹の育苗方法が、従来の果樹の育苗方法よりも、その後の定植作業を短時間で行えることが分かった。
【００６８】
［実施例６］
セルトレイ（１２８穴型セルトレイ及び７２穴型セルトレイ）で育苗を行った苗木の定植後における新梢長と、独立したポット（６ｃｍ型ポット及び９ｃｍ型ポット）で育苗を行った苗木の定植後における新梢長とを約３ヶ月間にわたって調べたところ、いずれにも有意差は認められなかった。以上の結果から、本発明の果樹の育苗方法が、従来の果樹の育苗方法よりも大量の果実の収穫を期待できることが分かった。
【図面の簡単な説明】
【００６９】
【図１】本発明の果樹の育苗方法に用いる設備の一例を示した概略図である。
【図２】図１におけるセルトレイの一例を示した斜視図である。
【図３】セルトレイに入れた培養土の温度の経時的変化と、独立したポットに入れた培養土の温度の経時的変化を示したグラフである。
【図４】セルトレイの下側部分を保湿材に埋設した場合における培養土の重量の経時的変化と、セルトレイを保湿材の上に据え置いただけでその下側部分を埋設しなかった場合における培養土の重量の経時的変化を示したグラフである。
【符号の説明】
【００７０】
１  セルトレイ
２  ポット
３  培養土
４  挿し穂（苗木）
５  地面
６  囲い
７  断熱材
８  ヒーター
９  保湿材
１０  骨組
１１  被覆シート
【図１】
2009131206.tif 000009
【図２】
2009131206.tif 000010
【図３】
2009131206.tif 000011
【図４】
2009131206.tif 000012